(57)【特許請求の範囲】
【請求項１】
被制御装置の運転を制御するワイヤレスリモコンと、このワイヤレスリモコンの信号を受信して前記被制御装置への制御信号を送信する受信部が通信線等により前記被制御装置へと接続されて構成された制御装置において、前記受信部に、被制御装置の保守を行うサービス機器を接続可能とする端子部を設けたことを特徴とする制御装置。
【請求項２】
室外ユニットおよび室内ユニット等から構成され、前記室内ユニットへ通信線等を用いてワイヤレスリモコンの受信部を接続し、該ワイヤレスリモコンからの送信により運転制御される制御装置を備えた空気調和装置において、前記受信部に、被制御装置の保守を行うサービス機器を接続可能とする端子部を設けたことを特徴とする空気調和装置。
【請求項３】
前記受信部は、空気調和装置の特定の運転操作及びアラーム警報を行える操作部が設けられていることを特徴とする請求項２に記載の空気調和装置。
【発明の詳細な説明】
【０００１】
【発明の属する技術分野】
この発明は、被制御装置の運転を制御するワイヤレスリモコンと、該ワイヤレスリモコンの信号を受信する受信部が被制御機器本体と独立した構成を持つ制御装置、及びこの制御装置を用いた空気調和装置に関する。
【０００２】
【従来の技術】
一般に業務用空気調和装置は、要求される空調空間の多様性から様々な形状をしている。家庭用と同様に壁面に取り付けられるものから、天井に設けられたスペースにはめ込まれたり、または完全に天井内に埋め込まれたり、あるいは壁の内部に設置されたりと、用途、目的別に豊富な機種がある。
【０００３】
そのような業務用空気調和装置であっても、使用者が空調される空間の任意の位置から空気調和装置を操作するためにワイヤレスリモコンを使用する機会は多く、一部の機種はそれに対応している。
【０００４】
図２には、従来のワイヤレスリモコンを用いた業務用空気調和装置の実施例を示した。ワイヤレスリモコン６を使用するには信号８を受信する部分（受信部５）が必要であるため、天井１１や壁（図示せず）の内部に設置された空気調和装置（室内ユニット１）では本体に受信部を設けられないものもあり、一部のメーカーでは空気調和装置１から有線１２で接続する受信部５を用意して全ての種類の空気調和装置（室内ユニット１）でワイヤレスリモコン６を使用可能にしている。
【０００５】
しかし、近年多様化する空気調和装置において、ワイヤードリモコンは単に操作するだけでなく、設置、試運転、サービス時の空気調和装置の各種機能等の設定や空気調和装置の運転状態の監視も行えるようになっている。
【０００６】
このような要求を、従来のワイヤレスリモコンで構成された空気調和装置で実現させるためには、図３で示したような機器接続を行う必要があった。
【０００７】
図３において、１は空気調和装置の室内ユニットである。この室内ユニット１には、運転を制御する制御装置を収納した電装ボックス２が具備され、この電装ボックス２の内部にはコントロール基板３とリモコン接続用のコネクタ４等が収納されている。６はワイヤレスリモコンであり、このワイヤレスリモコン６の信号８は、受信部５で受信され有線１２を介して室内ユニット１のコントロール基板３に送信される。この空気調和装置にサービス機器を接続するためには、サービス機器（ワイヤードリモコン７）を通信ケーブル９を介してコネクタ４へ接続して使用していた。
【０００８】
【発明が解決しようとする課題】
しかしながら、ワイヤレスリモコンのみで構成された空気調和装置ではサービスのためにワイヤードリモコンを一時的に接続しようとした場合、壁や天井に埋め込まれた室内ユニットのさらに内部にある電装ボックスでのアクセスが要求される。
【０００９】
本発明では、上述したワイヤレスリモコンのみで構成された空気調和装置にサービス用の機器を容易に接続することが可能な制御装置を提供するものである。
【００１０】
【課題を解決するための手段】
前記課題を解決するために、請求項１に記載の発明は、被制御装置の運転を制御するワイヤレスリモコンと、このワイヤレスリモコンの信号を受信して前記被制御装置への制御信号を送信する受信部が通信線等により前記被制御装置へと接続されて構成された制御装置において、前記受信部に、被制御装置の保守を行うサービス機器を接続可能とする端子部を設けたことである。
【００１１】
請求項１に記載の発明には、次の作用がある。
【００１２】
本発明の被制御機器の運転を制御するこのワイヤレスリモコンの信号を受信する受信部は、被制御機器の保守を行うサービス機器を接続する端子部を具備しているので、保守員が容易にサービス機器の接続を行える。
【００１３】
請求項２に記載の発明は、室外ユニットおよび室内ユニット等から構成され、前記室内ユニットへ通信線等を用いてワイヤレスリモコンの受信部を接続し、該ワイヤレスリモコンからの送信により運転制御される制御装置を備えた空気調和装置において、前記受信部に、被制御装置の保守を行うサービス機器を接続可能とする端子部を設けたことである。
【００１４】
請求項２に記載の発明には、次の作用がある。
【００１５】
本発明の空気調和装置の運転を制御するワイヤレスリモコンの信号を受信する受信部は、被制御装置の保守を行うサービス機器を接続する端子部を具備しているので、保守員が容易にサービス機器の接続を行える。
【００１６】
請求項３に記載の発明は、請求項２に記載の空気調和装置において、前記受信部は、空気調和装置の特定の運転操作及びアラーム警報を行える操作部が設けられていることである。
【００１７】
請求項３に記載の発明には、次の作用がある。
【００１８】
本発明の空気調和装置の運転を制御するワイヤレスリモコンの信号を受信する受信部は、ワイヤレスリモコンがなくても基本的な操作及びアラーム警報を行うことが可能なためワイヤレスリモコンなしでも空気調和装置の操作が可能である。
【００１９】
【発明の実施の形態】
以下、この発明の実施の形態を図面に基づき説明する。
【００２０】
図１において、１は空気調和装置の室内ユニットである。この室内ユニット１には、運転を制御する制御装置を収納した電装ボックス２が具備され、この電装ボックス２の内部にはコントロール基板３とリモコン接続用のコネクタ４等が収納されている。
【００２１】
６はワイヤレスリモコンであり、空気調和装置の各種の運転制御を行わせる操作スイッチ５３や表示部５４が設けられている。このワイヤレスリモコン６の信号は、受信部５で受信され、室内ユニット１の電装ボックス２内のコネクタ４に接続された有線１２を介してコントロール基板３に送信される。
【００２２】
この空気調和装置の室内ユニット１にサービス機器を接続するためには、サービス機器（ワイヤードリモコン７）を受信部５に具備された接続コネクタ１０に通信ケーブル７を介して接続できるように構成されている。
【００２３】
続いて、ワイヤレスリモコン６の受信部５の構造を説明する。
【００２４】
ワイヤレスリモコン６の受信部５は、通常スモークカバー５０がほどこされており、ワイヤレスリモコン６からの信号を受信して、空気調和装置（室内ユニット１）の運転状態を表示している。この受信部５には、着脱可能なサービスカバー１０が設けられており、それを外すことで外部機器の接続端子５１が露出する。この接続端子５１は、例えばワニクリップが挟めるような金属のピン等、電気的に接合が図れる形状であれば形式は問わない。
【００２５】
更に、空気調和装置の室内ユニット１の保守点検時には、受信部５本体のカバー５０を取り外して、空気調和装置（室内ユニット１）のＯＮ／ＯＦＦ、試運転等の操作を行うことができるようになっている。
【００２６】
次に、ワイヤレスリモコン６の受信部５の機能としては、通常時には空気調和装置（室内ユニット１）の運転状態を表示する表示部５２を有し、フィルタよごれ等のアラーム表示が行えるようになっている。
【００２７】
また、保守員がサービス機器を接続して空気調和装置（室内ユニット１）の詳細な情報を収集するためには、受信部５のサービスカバー１０の内側に設けられた接続端子５１にサービス機器を接続することにより、ワイヤードリモコンと同等の機能を提供することができるようになる。詳述すると、警報の詳細コードの確認、サービスチェック機能、運転モードの各種設定等を行うことが可能となる。
【００２８】
この機能によって、保守員がサービス機器を用いて機能が限定されていたワイヤレスリモコンによって構成された空気調和装置のメンテナンスを行う場合、例えば天井埋込型空気調和装置等であることこの天井埋込型空気調和装置のパネルを外し、更に奥まった位置に収納された電装ボックスを開けてサービス機器を接続しなければならなかった作業が不要になり、保守員の作業を大幅に軽減させることができる。
【００２９】
以上、本発明を上述した実施の形態に基づいて説明したが、本発明はこれに限定されるものではない。
【００３０】
【発明の効果】
以上に説明したように、請求項１に記載の発明によれば、本発明の被制御機器の運転を制御するこのワイヤレスリモコンの信号を受信する受信部は、被制御機器の保守を行うサービス機器を接続する端子部を具備しているので、保守員が容易にサービス機器の接続を行える。
【００３１】
請求項２に記載の発明によれば、本発明の空気調和機の運転を制御するワイヤレスリモコンの信号を受信する受信部は、被制御機器の保守を行うサービス機器を接続する端子部を具備しているので、保守員が容易にサービス機器の接続を行える。これにより、空気調和機に故障が発生して点検を行う時に、室内ユニットの電装ボックスまで開かなくてもメンテナンスを行うことが可能となるため、作業性が格段に向上する。
【００３２】
請求項３に記載の発明によれば、本発明の空気調和機の運転を制御するワイヤレスリモコンの信号を受信する受信部は、ワイヤレスリモコンがなくても基本的な操作及びアラーム警報を行うことが可能なためワイヤレスリモコンなしでも空気調和機の操作が可能であるため、作業性が格段に向上する。
【図面の簡単な説明】
【図１】  本発明に係る空気調和装置の構成を示すブロック構成図である。
【図２】  従来の空気調和装置の機器配置を示すブロック構成図である。
【図３】  従来の空気調和装置の構成を示すブロック構成図である。
【符号の説明】
１  室内ユニット（空気調和装置）
２  電装ボックス
３  コントロール基板
４  コネクタ
５  受信部
６  ワイヤレスリモコン
８  信号
９  サービス機器（ワイヤードリモコン）
５１  接続端子
【図１】
0004169461.tif 000002
【図２】
0004169461.tif 000003
【図３】
0004169461.tif 000004